【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
液体導入部を有する第１装着部と、第２装着部と、前記第１装着部と前記第２装着部とを隔て、スリットを有する隔壁と、を備える液体噴射装置に、装着可能な液体供給ユニットであって、
底壁部と、
前記底壁部と対向する上壁部と、
前記上壁部と前記底壁部とに交差する第１外壁部及び第２外壁部と、
前記第１外壁部によって区画形成され、前記液体供給ユニットを前記液体噴射装置に装着した装着状態において、前記第１装着部に装着される第１液体収容室と、
前記第２外壁部によって区画形成され、前記装着状態において前記第２装着部に装着される第２液体収容室と、
前記底壁部に、前記第１液体収容室と連通するように設けられ、前記装着状態において、前記液体導入部に接続され、前記液体導入部に液体を供給する液体供給部と、
前記第１液体収容室と前記第２液体収容室とを連通させる液体連通部と、を備え、
前記第１外壁部と前記第２外壁部との間には、前記装着状態において、前記隔壁が挿入される隙間が形成されている、液体供給ユニット。
【請求項２】
請求項１に記載の液体供給ユニットであって、
前記装着状態において、前記液体噴射装置の前記第１装着部に設けられた第１電極部と電気的に接続される第１端子部と、
前記装着状態において、前記液体噴射装置の前記第２装着部に設けられた第２電極部と電気的に接続される第２端子部と、
前記装着状態において、前記液体噴射装置の前記第１装着部に設けられた第１係合部と係合する第１被係合部と、
前記装着状態において、前記液体噴射装置の前記第２装着部に設けられた第２係合部と係合する第２被係合部と、を備える、液体供給ユニット。
【請求項３】
請求項１又は請求項２に記載の液体供給ユニットであって、
前記液体連通部は第１液体流路を含み、
前記装着状態において、前記液体供給ユニットを前記上壁部から前記底壁部に向かう鉛直下方向に向かって平面視したとき、前記第１液体流路は前記隔壁と重なる、液体供給ユニット。
【請求項４】
請求項１又は請求項２に記載の液体供給ユニットであって、さらに、
前記第１外壁部と前記第２外壁部とを連結する架橋部を有し、
前記架橋部は、前記装着状態において前記隔壁の前記スリットに挿入される、液体供給ユニット。
【請求項５】
請求項１から請求項４までのいずれか一項に記載の液体供給ユニットであって、
前記液体連通部の少なくとも一部はチューブによって構成されている、液体供給ユニット。
【請求項６】
請求項１から請求項５までのいずれか一項に記載の液体供給ユニットであって、
前記液体連通部の少なくとも一部は、前記上壁部に形成されている、液体供給ユニット。
【請求項７】
請求項１から請求項６までのいずれか一項に記載の液体供給ユニットであって、さらに、
前記第１液体収容室と前記第２液体収容室と前記液体連通部とに亘って配置された第１液体保持部材を有する、液体供給ユニット。
【請求項８】
請求項１から請求項６までのいずれか一項に記載の液体供給ユニットであって、さらに、
前記液体供給ユニットの外部の大気と前記第１液体収容室とを連通する大気連通路と、
前記第１液体収容室に配置された液体保持部材と、を有する、液体供給ユニット。
【請求項９】
請求項１から請求項６までのいずれか一項に記載の液体供給ユニットであって、さらに、
前記液体供給ユニットの外部の大気と前記第２液体収容室とを連通する大気連通路と、
前記第２液体収容室の圧力に応じて、前記大気連通路と前記第２液体収容室とを連通状態と非連通状態とのいずれかの状態とする弁機構と、を有する、液体供給ユニット。
【請求項１０】
請求項１から請求項９までのいずれか一項に記載の液体供給ユニットであって、さらに、
前記第２液体収容室に前記液体を注入可能な液体注入孔と、
前記液体注入孔を塞ぐための栓部材であって、前記液体注入孔に着脱可能な栓部材と、を有する、液体供給ユニット。
【手続補正２】
【補正対象書類名】明細書
【補正対象項目名】０００７
【補正方法】変更
【補正の内容】
【０００７】
（１）本発明の一形態によれば、液体導入部を有する第１装着部と、第２装着部と、前記第１装着部と前記第２装着部とを隔て、スリットを有する隔壁と、を備える液体噴射装置に、装着可能な液体供給ユニットが提供される。この液体供給ユニットは、底壁部と、前記底壁部と対向する上壁部と、前記上壁部と前記底壁部とに交差する第１外壁部及び第２外壁部と、を備える。また、この液体供給ユニットは、前記第１外壁部によって区画形成される第１液体収容室を備える。前記第１液体収容室は、前記液体供給ユニットを前記液体噴射装置に装着した装着状態において、前記第１装着部に装着される。また、この液体供給ユニットは、前記第２外壁部によって区画形成される第２液体収容室を備える。前記第２液体収容室は、前記装着状態において、前記第２装着部に装着される。また、この液体供給ユニットは、前記底壁部に、前記第１液体収容室と連通するように設けられた液体供給部を備える。前記液体供給部は、前記装着状態において、前記液体導入部に接続され、前記液体導入部に液体を供給する。また、この液体供給ユニットは、前記第１液体収容室と前記第２液体収容室とを連通させる液体連通部を備える。前記第１液体収容室を区画形成する第１外壁部と前記第２液体収容室を区画形成する第２外壁部との間には、前記装着状態において、前記隔壁が挿入される隙間が形成されている。
上記形態によれば、液体供給ユニットが隙間を有することで、隔壁が装着の障害となることなく、液体供給ユニットを第１装着部と第２装着部とに亘って配置できる。これにより、第１装着部に装着可能な第１液体収容室に収容された液体を液体供給部から液体導入部に供給することに加え、液体連通部を介して、第２装着部に装着可能な第２液体収容室に収容された液体を第１液体収容室に流通させることができる。これにより、液体供給ユニットが収容できる液体の容量を増大できる。
【手続補正３】
【補正対象書類名】明細書
【補正対象項目名】０００８
【補正方法】変更
【補正の内容】
【０００８】
（２）上記形態の液体供給ユニットであって、前記装着状態において、前記液体噴射装置の前記第１装着部に設けられた第１電極部と電気的に接続される第１端子部と、前記装着状態において、前記液体噴射装置の前記第２装着部に設けられた前記第２電極部と電気的に接続される第２端子部と、前記装着状態において、前記液体噴射装置の前記第１装着部に設けられた第１係合部に対して当接可能な第１被係合部と、前記装着状態において、前記液体噴射装置の前記第２装着部に設けられた第２係合部に対して当接可能な第２被係合部と、を備えていても良い。
上記形態によれば、第１及び第２係合部によって、第１及び第２端子部を、第１及び第２電極部に、しっかりと接続することができる。
【手続補正４】
【補正対象書類名】明細書
【補正対象項目名】０００９
【補正方法】変更
【補正の内容】
【０００９】
（３）上記形態の液体供給ユニットであって、前記液体連通部は第１液体流路を含み、前記液体供給ユニットを前記液体噴射装置に装着した装着状態において、前記液体供給ユニットを前記上壁部から前記底壁部に向かう鉛直下方向に向かって平面視したとき、前記第１液体流路は前記隔壁と重なっても良い。
上記形態によれば、第１液体流路を含む液体連通部によって、隔壁に妨げられることなく第２液体収容室の液体を第１液体収容室へと流通させることができる。
【手続補正５】
【補正対象書類名】明細書
【補正対象項目名】００１０
【補正方法】変更
【補正の内容】
【００１０】
上記形態の液体供給ユニットであって、前記液体連通部は第２液体流路を含み、前記装着状態において、前記液体供給ユニットを前記鉛直下方向に向かって平面視したとき、前記第２液体流路は前記第２装着部と重なっても良い。
上記形態によれば、第２液体流路を含む液体連通部によって、第２液体収容室の液体を第１液体収容室へと流通させることができる。
【手続補正６】
【補正対象書類名】明細書
【補正対象項目名】００１１
【補正方法】変更
【補正の内容】
【００１１】
上記形態の液体供給ユニットであって、前記液体連通部は第３液体流路を含み、前記装着状態において、前記液体供給ユニットを前記鉛直下方向に向かって平面視したとき、前記第３液体流路は前記第１装着部と重なっても良い。
上記形態によれば、第３液体流路を含む液体連通部によって、第２液体収容室の液体を第１液体収容室へと流通させることができる。
【手続補正７】
【補正対象書類名】明細書
【補正対象項目名】００１２
【補正方法】変更
【補正の内容】
【００１２】
上記形態の液体供給ユニットであって、前記第１液体流路は、前記底壁部よりも前記上壁部に近い位置に設けられていても良い。
上記形態によれば、第１液体流路を含む液体連通部によって、隔壁に妨げられることなく第２液体収容室の液体を第１液体収容室へと流通させることができる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
（４）上記形態の液体供給ユニットであって、さらに、前記第１外壁部と前記第２外壁部とを連結する架橋部を有し、前記架橋部は、前記装着状態において前記隔壁の前記スリットに挿入されても良い。
上記形態によれば、架橋部によって、隙間を有する液体供給ユニットの強度を向上できる。
【手続補正１１】
【補正対象書類名】明細書
【補正対象項目名】００１６
【補正方法】変更
【補正の内容】
【００１６】
上記形態の液体供給ユニットであって、前記液体連通部の少なくとも一部は、前記架橋部に設けられていても良い。
上記形態によれば、架橋部を有効に利用して第１液体収容室と第２液体収容室とを連通させることができる。
【手続補正１２】
【補正対象書類名】明細書
【補正対象項目名】００１７
【補正方法】変更
【補正の内容】
【００１７】
上記形態の液体供給ユニットであって、前記液体連通部の少なくとも一部は、前記架橋部のうち前記上壁部よりも前記底壁部に近い位置に設けられていても良い。
上記形態によれば、第２液体収容室のうち上壁部よりも底壁部に近い部分に収容された液体を第１液体収容室に流通させることができる。
【手続補正１３】
【補正対象書類名】明細書
【補正対象項目名】００１８
【補正方法】変更
【補正の内容】
【００１８】
（５）上記形態の液体供給ユニットであって、前記液体連通部の少なくとも一部はチューブによって構成されていても良い。
上記形態によれば、液体連通部の設計の自由度が向上できる。
【手続補正１４】
【補正対象書類名】明細書
【補正対象項目名】００１９
【補正方法】変更
【補正の内容】
【００１９】
（６）上記形態の液体供給ユニットであって、前記液体連通部の少なくとも一部は、前記第２壁部に形成されていても良い。
この形態によれば、第２壁部を利用して液体連通部の少なくとも一部を形成できる。
【手続補正１５】
【補正対象書類名】明細書
【補正対象項目名】００２０
【補正方法】変更
【補正の内容】
【００２０】
（７）上記形態の液体供給ユニットであって、さらに、前記第１液体収容室と前記第２液体収容室と前記液体連通部とに亘って配置された第１液体保持部材を有しても良い。
上記形態によれば、第１液体保持部材によって、第２液体収容室の液体を、液体連通部を介して第１液体収容室に円滑に移動させることができる。
【手続補正１６】
【補正対象書類名】明細書
【補正対象項目名】００２１
【補正方法】変更
【補正の内容】
【００２１】
上記形態の液体供給ユニットであって、さらに、前記第１液体収容室のうち、前記液体供給部と前記第１液体保持部材との間に配置された第２液体保持部材を有しても良い。
上記形態によれば、第２液体保持部材に液体を保持させることができる。
【手続補正１７】
【補正対象書類名】明細書
【補正対象項目名】００２２
【補正方法】変更
【補正の内容】
【００２２】
（８）上記形態の液体供給ユニットであって、さらに、前記液体供給ユニットの外部の大気と前記第１液体収容室とを連通する大気連通路と、前記第１液体収容室に配置された液体保持部材と、を有しても良い。
この形態によれば、第１液体収容室の液体の消費に伴って第２液体収容室の液体を液体連通部を介して第１液体収容室に円滑に導入することができる。
【手続補正１８】
【補正対象書類名】明細書
【補正対象項目名】００２３
【補正方法】変更
【補正の内容】
【００２３】
（９）上記形態の液体供給ユニットであって、さらに、前記液体供給ユニットの外部の大気と前記第２液体収容室とを連通する大気連通路と、前記第２液体収容室の圧力に応じて、前記大気連通路と前記第２液体収容室とを連通状態と非連通状態とのいずれかの状態とする弁機構と、を有しても良い。
この形態によれば、弁機構によって大気連通路と第２液体収容室との連通状態を切り替えることができる。
【手続補正１９】
【補正対象書類名】明細書
【補正対象項目名】００２４
【補正方法】変更
【補正の内容】
【００２４】
（１０）上記形態の液体供給ユニットであって、さらに、前記第２液体収容室に前記液体を注入可能な液体注入孔と、前記液体注入孔を塞ぐための栓部材であって、前記液体注入孔に着脱可能な栓部材と、を有しても良い。
この形態によれば、液体注入孔によって第２液体収容室に容易に液体を注入できる。
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２９
【補正方法】変更
【補正の内容】
【００２９】
【図１】第１実施形態としての液体噴射システムの外観構成を示す概略斜視図である。
【図２】印刷機構部の外観構成を示す概略斜視図である。
【図３】液体供給ユニットが装着されている装着状態のカートリッジ装着部を示す概略斜視図である。
【図４】カートリッジ装着部の第１の外観斜視図である。
【図５】カートリッジ装着部の第２の外観斜視図である。
【図６】カートリッジ装着部の第３の外観斜視図である。
【図７】カートリッジ装着部の分解斜視図である。
【図８】キャリッジユニットの正面壁部に取り付けられている状態の係合部とコネクターユニットと配線基板との斜視図である。
【図９】矢印Ｘの方向に沿って見たときの係合部の側面図である。
【図１０】液体供給ユニットの第１の外観斜視図である。
【図１１】液体供給ユニットの第２の外観斜視図である。
【図１２】液体供給ユニットを説明するための図である。
【図１３】液体供給ユニットの底面図である。
【図１４】液体供給ユニットを説明するための図である。
【図１５】装着状態における液体供給ユニットを説明するための図である。
【図１６】第２実施形態としての液体供給ユニットの底面図である。
【図１７】液体供給ユニットを説明するための図である。
【図１８】第３実施形態としての液体供給ユニットの底面図である。
【図１９】液体供給ユニットを説明するための図である。
【図２０】第４実施形態としての液体供給ユニットを説明するための図である。
【図２１】第５実施形態としての液体供給ユニットの底面図である。
【図２２】液体供給ユニットを説明するための図である。
【図２３】第６実施形態としての液体供給ユニットを説明するための図である。
【図２４】第７実施形態としての液体供給ユニットを説明するための図である。
【図２５】第８実施形態としての液体供給ユニットを説明するための図である。
【図２６】液体連通部の変形例について説明するための図である。
【図２７】第６実施形態の変形例としての液体供給ユニットを説明するための図である。
【手続補正２３】
【補正対象書類名】明細書
【補正対象項目名】００３６
【補正方法】変更
【補正の内容】
【００３６】
カートリッジ装着部２７は、印刷用紙と対向する側にインク滴を吐出する印刷ヘッド（図示は省略）を有する。印刷ヘッドは、インク流路と、インクを吐出するノズルと、インク吐出の駆動力を発生させる機構（例えばピエゾ方式の場合にはピエゾ素子、サーマル方式の場合にはヒーターなど）と、を有している。カートリッジ装着部２７は、制御部２１によって動作が制御される。具体的には、カートリッジ装着部２７は、矢印Ｘの方向に架設されているガイドレール２８に沿って往復移動しつつ、搬送部２２によって副走査方向に搬送されていく印刷用紙の紙面に向かってインク滴を吐出する。カートリッジ装着部２７が往復移動する主走査方向は矢印Ｘの方向と平行である。なお、印刷装置１０は、カートリッジ装着部２７が移動しないラインプリンターであっても良い。
【手続補正２４】
【補正対象書類名】明細書
【補正対象項目名】００４６
【補正方法】変更
【補正の内容】
【００４６】
底面壁部２０１の下面には、上述した印刷ヘッド１９０が取り付けられている（図６）。底面壁部２０１の上面には、液体導入部２１１〜２１４が設けられている（図４，図５）。液体導入部２１１〜２１４のうち、第１装着部２１０Ａに設けられた液体導入部２１１を第１液体導入部２１１とも呼び、第２装着部２１０Ｂに設けられた液体導入部２１２〜２１４を第２液体導入部２１２〜２１４とも呼ぶ。第１液体導入部２１１は、液体供給ユニット１００が備える液体供給部に接続されて、液体供給ユニット１００に収容されたインクが供給される。第１液体導入部２１１に供給されたインクは、印刷ヘッド１９０のインク流路に導入される。各液体導入部２１１〜２１４の外周には、シール部２１５が設けられている。シール部２１５は、インクの経路に対する外気の侵入を抑制するとともに、インクの外部への漏洩を抑制する。
【手続補正２５】
【補正対象書類名】明細書
【補正対象項目名】００６６
【補正方法】変更
【補正の内容】
【００６６】
第１壁部１０１（図１１）は、液体供給ユニット１００がカートリッジ装着部２７に装着された装着状態のときに、底面壁部２０１（図４）と対向する底面を構成する。第１壁部１０１には、装着状態において、底面壁部２０１から突出する隔壁２２１が挿入される２つの隙間１１８が形成されている。この隙間１１８を溝部とも呼ぶ。２つの隙間１１８のうち、隔壁２２１Ａ（図４）が挿入される隙間には符号「１１８Ａ」を付している。隙間１１８は、液体供給ユニット１００が印刷装置１０のカートリッジ装着部２７に装着されたときに、隔壁２２１を受け入れる。隙間１１８Ａは、第３壁部１０３から第４壁部１０４に亘って形成されている（図１２（Ｃ））。なお、隙間１１８の形状は上記に限定されるものではなく、隔壁２２１を挿入できる程度の長さ（Ｙ方向の寸法）と、深さ（Ｚ方向の寸法）を有していれば良い。
【手続補正２６】
【補正対象書類名】明細書
【補正対象項目名】００７７
【補正方法】変更
【補正の内容】
【００７７】
第１被係合機構部１２０Ａは、さらに、第１被係合部１２３Ａよりも第１壁部１０１側に位置する端子配置面１２５を有する。端子配置面１２５は、第１壁部１０１側に近づくにつれて（すなわち、鉛直下側に向かうに従い）第４壁部１０４に近づくように傾斜している。端子配置面１２５には、回路基板１３０が配置されている。回路基板１３０は、第１電極部２５１Ａ（図８）と電気的に接続可能な第１端子部１３１Ａを表面に有する。第１端子部１３１Ａは、第１電極部２５１Ａの端子の数に対応して９つ配置されている。また、回路基板１３０は、裏面に記憶装置（図示せず）を有する。記憶装置には、液体供給ユニット１００に関する各種情報（例えば、インク残量やインク色）が記憶されている。装着状態において、第１端子部１３１Ａと第１電極部２５１Ａとが接触して電気的に接続することで、回路基板１３０の記憶装置と制御部２１との間で信号をやり取りできる。
【手続補正２７】
【補正対象書類名】明細書
【補正対象項目名】００７９
【補正方法】変更
【補正の内容】
【００７９】
第２被係合機構部１２０Ｂは、さらに、第２被係合部１２３Ｂよりも第１壁部１０１側に位置する端子配置面１２５を有する。端子配置面１２５は、第１壁部１０１側に近づくにつれて（すなわち、鉛直下側に向かうに従い）第４壁部１０４に近づくように傾斜している。端子配置面１２５には、回路基板１３０が配置されている。回路基板１３０は、第２電極部２５１Ｂ（図８）と電気的に接続可能な第２端子部１３１Ｂを表面に有する。第２端子部１３１Ｂは、第２電極部２５１Ｂの端子の数に対応して９つ配置されている。また、回路基板１３０は、裏面に記憶装置（図示せず）を有する。記憶装置には、液体供給ユニット１００に関する各種情報（例えば、インク残量やインク色）が記憶されている。装着状態において、第２端子部１３１Ｂと第２電極部２５１Ｂとが接触して電気的に接続することで、回路基板１３０の記憶装置と制御部２１との間で信号をやり取りできる。
【手続補正２８】
【補正対象書類名】明細書
【補正対象項目名】００８５
【補正方法】変更
【補正の内容】
【００８５】
図１５に示すように、装着状態において、液体供給ユニット１００を第２壁部１０２から第１壁部１０１に向かう方向（以下、「鉛直下方向」という）に向かって平面視したとき、第１液体流路１４１は隔壁２２１Ａと重なる。本実施形態では、装着状態において、第１液体流路１４１は隔壁２２１Ａの真上に位置する。また、装着状態において、液体供給ユニット１００を鉛直下方向に向かって平面視したとき、第２液体流路１４２は第２装着部２１０Ｂと重なる。つまり、装着状態において、第２液体流路１４２は第２装着部２１０Ｂ内に位置する。また、装着状態において、液体供給ユニット１００を鉛直下方向に向かって平面視したとき、第３液体流路１４３は第１装着部２１０Ａと重なる。つまり、装着状態において、第３液体流路１４３は第１装着部２１０Ａ内に位置する。
【手続補正２９】
【補正対象書類名】明細書
【補正対象項目名】００８９
【補正方法】変更
【補正の内容】
【００８９】
また、上記実施形態によれば、液体供給ユニット１００は、第１液体収容室１０８Ａと第２液体収容室１０８Ｂとを連通させる液体連通部１４０を有する（図１５）。これにより、第２液体収容室１０８Ｂのインクを第１液体収容室１０８Ａに流通させることができる。また、第２液体流路１４２の第１端部１４２ｅは第１液体流路１４１よりも第１壁部１０１に近い位置に設けられている（図１５）。これにより、第２液体収容室１０８Ｂのうち第１液体流路１４１よりも第１壁部１０１に近い部分に収容されたインクを第１液体収容室１０８Ａに流通させることができる。また、第３液体流路１４３の第２端部１４３ｅは第１液体流路１４１よりも第１壁部１０１に近い位置に設けられている（図１５）。
これにより、第２液体収容室１０８Ｂに収容されたインクを第１液体収容室１０８Ａのうち第１液体流路１４１よりも第１壁部１０１に近い位置に流通させることができる。また、装着状態において、液体供給ユニット１００を鉛直下方向に向かって平面視したとき、第１液体流路１４１は隔壁２２１Ａと重なる（図１５）。これにより、第１液体流路１４１を含む液体連通部１４０によって、隔壁２２１Ａに妨げられることなく第２液体収容室１０８Ｂのインクを第１液体収容室１０８Ａへと流通させることができる。
【手続補正３０】
【補正対象書類名】明細書
【補正対象項目名】００９２
【補正方法】変更
【補正の内容】
【００９２】
Ｃ．第３実施形態：
図１８は、第３実施形態としての液体供給ユニット１００ｂの底面図である。図１９は、液体供給ユニット１００ｂを説明するための図である。図１９（Ａ）は、図１８のＦ１８Ａ−Ｆ１８Ａ断面図である。図１９（Ｂ）は、図１８のＦ１８Ｂ−Ｆ１８Ｂ断面図である。図１９（Ｃ）は、図１８のＦ１８Ｃ−Ｆ１８Ｃ断面図である。図１９（Ｄ）は、図１８のＦ１８Ｄ−Ｆ１８Ｄ断面図である。第３実施形態の液体供給ユニット１００ｂと第２実施形態の液体供給ユニット１００ａの違いは、架橋部１８９ｂに液体連通部１４０ｂが設けられている点である。その他の構成については液体供給ユニット１００ｂと液体供給ユニット１００ａとでは同様であるため同様の構成について同一符号を付すと共に説明を省略する。また、第３実施形態の液体供給ユニット１００ｂは、第１実施形態の液体供給ユニット１００と同様に、カートリッジ装着部２７（図４）に着脱自在に装着される。
【手続補正３１】
【補正対象書類名】明細書
【補正対象項目名】００９４
【補正方法】変更
【補正の内容】
【００９４】
上記第３実施形態によれば、液体供給ユニット１００ｂは、架橋部１８９ｂに液体連通部１４０ｂが設けられている。これにより、架橋部１８９ｂを有効に利用して第１液体収容室１０８Ａと第２液体収容室１０８Ｂとを連通させることができる。また、液体連通部１４０ｂは、架橋部１８９ｂのうち、第２壁部１０２よりも第１壁部１０１に近い位置に設けられている。これにより、第２液体収容室１０８Ｂの第２壁部１０２よりも第１壁部１０１に近い部分（底面近傍）に収容されたインクを第１液体収容室１０８Ａに流通させることができる。
【手続補正３２】
【補正対象書類名】明細書
【補正対象項目名】０１１０
【補正方法】変更
【補正の内容】
【０１１０】
Ｈ．第８実施形態：
図２５は、第８実施形態としての液体供給ユニット１００ｇを説明するための図である。図２５（Ａ）〜（Ｄ）は、図１４（Ａ）〜（Ｄ）に対応している。第８実施形態の液体供給ユニット１００ｇと第２実施形態の液体供給ユニット１００ａ（図１７）との違いは、液体供給ユニット１００の凹部１１２を液体供給部１１０に置き換えた点と、置き換えた液体供給部１１０に対応して供給部側液体保持部材１４９が設けられた点である。その他の構成については液体供給ユニット１００ｇと液体供給ユニット１００ａとでは同様であるため同様の構成について同一符号を付すと共に説明を省略する。また、第８実施形態の液体供給ユニット１００ｇは、第１実施形態の液体供給ユニット１００と同様に、カートリッジ装着部２７（図４）に着脱自在に装着される。
【手続補正３３】
【補正対象書類名】明細書
【補正対象項目名】０１１２
【補正方法】変更
【補正の内容】
【０１１２】
上記第８実施形態によれば、第１外壁部１６２Ａと第２外壁部１６２Ｂとを連結し、装着状態において、隔壁２２１Ａのスリット２２３に挿入される架橋部１８９を有する。これにより、隙間１１８Ａを有する液体供給ユニット１００ｇの強度を向上できる。また、第２液体収容室１０８Ｂに収容されたインクを直接に第２液体導入部２１２に供給できる。また、第１液体収容室１０８Ａと第２液体収容室１０８Ｂとが液体連通部１４０によって連通しているため、第１液体収容室１０８Ａと第２液体収容室１０８Ｂとの間でインクが流通できる。すなわち、一方の液体収容室のインク液面が他方の液体収容室のインク液面よりも下がった場合でも、他方の液体収容室のインクを一方の液体収容室に流通させることができる。
【手続補正３４】
【補正対象書類名】明細書
【補正対象項目名】０１１４
【補正方法】変更
【補正の内容】
【０１１４】
Ｉ−１．第１変形例：
図２６は、液体連通部１４０ｃａの変形例について説明するための図である。図２６は、図２０に相当する図である。図２６に示す液体供給ユニット１００ｃａと、図２０に示す第４実施形態の液体供給ユニット１００ｃとの違いは第１液体流路１４１ｃａの構成である。その他の構成については液体供給ユニット１００ｃと液体供給ユニット１００ｃａとは同様であるため同様の構成については同一符号を付すと共に説明を省略する。液体連通部１４０ｃａの少なくとも一部は、第２壁部１０２に形成されていても良い。この変形例では、液体連通部１４０ｃａの第１液体流路１４１ｃａが第２壁部１０２に形成されている。具体的には、第２壁部１０２の外表面に溝を形成し、溝を覆うようにシール部材８００を第２壁部１０２に貼り付ける。これにより、第１液体流路１４１ｃａが形成される。シール部材８００はインクを透過しないフィルムである。溝は、第２液体流路１４２と第３液体流路１４３とを接続できる形状であれば良く、蛇行形状であっても良いし直線形状であっても良い。こうすることで、第２壁部１０２を利用して液体連通部１４０ｃａの少なくとも一部を形成できる。なお、ここでは、第４実施形態の変形例として説明したが、他の実施形態に対して第２壁部１０２に液体連通部１４０ｃａの少なくとも一部を形成するという本変形例を適用しても良い。
【手続補正３５】
【補正対象書類名】明細書
【補正対象項目名】０１２０
【補正方法】変更
【補正の内容】
【０１２０】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。例えば、以下の形態としても実現できる。
（１）本発明の一形態によれば、液体導入部を有する第１装着部と、第２装着部と、前記第１装着部と前記第２装着部とを隔て、スリットを有する隔壁と、を備える液体噴射装置に、装着可能な液体供給ユニットが提供される。この液体供給ユニットは、前記第１装着部に装着可能な第１液体収容室であって、前記液体導入部に液体を供給可能な液体供給部を有する第１液体収容室と、前記第２装着部に装着可能な第２液体収容室と、前記第１液体収容室と前記第２液体収容室とを連通させる液体連通部と、を備え、前記第１液体収容室を区画形成する第１外壁部と前記第２液体収容室を区画形成する第２外壁部との間には、前記隔壁を挿入可能な隙間が形成されている。
上記形態によれば、液体供給ユニットが隙間を有することで、隔壁が装着の障害となることなく、液体供給ユニットを第１装着部と第２装着部とに亘って配置できる。これにより、第１装着部に装着可能な第１液体収容室に収容された液体を液体供給部から液体導入部に供給することに加え、液体連通部を介して、第２装着部に装着可能な第２液体収容室に収容された液体を第１液体収容室に流通させることができる。これにより、液体供給ユニットが収容できる液体の容量を増大できる。
（２）本発明の他の一形態によれば、液体導入部と第１電極部と第１係合部とを有する第１装着部と、第２電極部と第２係合部とを有する第２装着部と、前記第１装着部と前記第２装着部とを隔て、スリットを有する隔壁と、を備える液体噴射装置に、装着可能な液体供給ユニットが提供される。この液体供給ユニットは、前記第１装着部に装着可能な第１液体収容室であって、前記液体導入部に液体を供給可能な液体供給部を有する第１液体収容室と、前記第２装着部に装着可能な第２液体収容室と、前記第１液体収容室と前記第２液体収容室とを連通させる液体連通部と、前記第１電極部と電気的に接続可能な第１端子部と、前記第２電極部と電気的に接続可能な第２端子部と、前記液体供給ユニットを前記液体噴射装置に装着した装着状態において、前記液体導入部から前記液体供給部に向かう方向に、前記第１係合部に対して当接可能な第１被係合部と、前記装着状態において、前記液体導入部から前記液体供給部に向かう方向に、前記第２係合部に対して当接可能な第２被係合部と、を備える、前記第１液体収容室を区画形成する第１外壁部と前記第２液体収容室を区画形成する第２外壁部との間には、前記隔壁を挿入可能な隙間が形成されている。
上記形態によれば、液体供給ユニットが隙間を有することで、隔壁が装着の障害となることなく、液体供給ユニットを第１装着部と第２装着部とに亘って配置できる。これにより、第１装着部に装着可能な第１液体収容室に収容された液体を液体供給部から液体導入部に供給することに加え、液体連通部を介して、第２装着部に装着可能な第２液体収容室に収容された液体を第１液体収容室に流通させることができる。これにより、液体供給ユニットが収容できる液体の容量を増大できる。
（３）上記形態の液体供給ユニットであって、前記液体供給ユニットを前記液体噴射装置に装着した装着状態において、前記液体供給ユニットを前記液体供給部が前記液体導入部に対面する対面方向に向かって平面視したとき、
前記液体連通部は、前記隔壁と重なる第１液体流路を含んでも良い。
上記形態によれば、第１液体流路を含む液体連通部によって、隔壁に妨げられることなく第２液体収容室の液体を第１液体収容室へと流通させることができる。
（４）上記形態の液体供給ユニットであって、前記装着状態において、前記液体供給ユニットを前記対面方向に向かって平面視したとき、前記液体連通部は前記第２装着部と重なる第２液体流路を含んでも良い。
上記形態によれば、第２液体流路を含む液体連通部によって、第２液体収容室の液体を第１液体収容室へと流通させることができる。
（５）上記形態の液体供給ユニットであって、前記装着状態において、前記液体供給ユニットを前記対面方向に向かって平面視したとき、前記液体連通部は前記第１装着部と重なる第３液体流路を含んでも良い。
上記形態によれば、第３液体流路を含む液体連通部によって、第２液体収容室の液体を第１液体収容室へと流通させることができる。
（６）上記形態の液体供給ユニットであって、前記第１外壁部と前記第２外壁部とに交差し、前記液体供給部が形成された第１壁部と、前記第１液体収容室の内部と前記第２液体収容室の内部とを挟んで前記前記第１壁部と対向する第２壁部と、を備え、前記第１壁部と前記第２壁部とは、前記第１液体収容室と前記第２液体収容室とを区画形成し、前記第２壁部には、前記隔壁を挿入可能な前記隙間が形成され、前記第１液体流路は、前記第１壁部よりも前記第２壁部に近い位置に設けられていても良い。
上記形態によれば、第１液体流路を含む液体連通部によって、隔壁に妨げられることなく第２液体収容室の液体を第１液体収容室へと流通させることができる。
（７）上記形態の液体供給ユニットであって、前記第１外壁部と前記第２外壁部とに交差し、前記液体供給部が形成された第１壁部と、前記第１液体収容室の内部と前記第２液体収容室の内部とを挟んで前記前記第１壁部と対向する第２壁部と、を備え、前記第１壁部と前記第２壁部とは、前記第１液体収容室と前記第２液体収容室とを区画形成し、前記第２壁部には、前記隔壁を挿入可能な前記隙間が形成され、前記第１液体流路は、前記第１壁部よりも前記第２壁部に近い位置に設けられ、前記第２液体流路は、前記第２液体収容室に接続された第１端部を有し、前記第１端部は前記第１液体流路よりも前記第１壁部に近い位置に設けられていても良い。
上記形態によれば、第２液体流路の第１端部は第１液体流路よりも第１壁部に近い位置に設けられている。これにより、第２液体収容室のうち第１液体流路よりも第１壁部に近い部分に収容された液体を第１液体収容室に流通させることができる。
（８）上記形態の液体供給ユニットであって、前記第１外壁部と前記第２外壁部とに交差し、前記液体供給部が形成された第１壁部と、前記第１液体収容室の内部と前記第２液体収容室の内部とを挟んで前記前記第１壁部と対向する第２壁部と、を備え、前記第１壁部と前記第２壁部とは、前記第１液体収容室と前記第２液体収容室とを区画形成し、前記第２壁部には、前記隔壁を挿入可能な前記隙間が形成され、前記第１液体流路は、前記第１壁部よりも前記第２壁部に近い位置に設けられ、前記第３液体流路は、前記第１液体収容室と連通させる第２端部を有し、前記第２端部は前記第１液体流路よりも前記第１壁部に近い位置に設けられていても良い。
上記形態によれば、第３液体流路の第２端部は第１液体流路よりも第１壁部に近い位置に設けられている。これにより、第２液体収容室に収容された液体を第１液体収容室のうち第１液体流路よりも第１壁部に近い位置に流通させることができる。
（９）上記形態の液体供給ユニットであって、さらに、前記第１外壁部と前記第２外壁部とを連結し、前記隔壁の前記スリットに挿入可能な架橋部を有していても良い。
上記形態によれば、第１外壁部と第２外壁部とを連結し、隔壁のスリットに挿入可能な架橋部を有する。これにより、隙間を有する液体供給ユニットの強度を向上できる。
（１０）上記形態の液体供給ユニットであって、前記液体連通部の少なくとも一部は、前記架橋部に設けられていても良い。
上記形態によれば、架橋部を有効に利用して第１液体収容室と第２液体収容室とを連通させることができる。
（１１）上記形態の液体供給ユニットであって、前記第１外壁部と前記第２外壁部とに交差し、前記液体供給部が形成された第１壁部と、前記第１液体収容室の内部と前記第２液体収容室の内部とを挟んで前記前記第１壁部と対向する第２壁部と、前記第１外壁部と前記第２外壁部とを連結し、前記隔壁の前記スリットに挿入可能な架橋部、を備え、前記第１壁部と前記第２壁部とは、前記第１液体収容室と前記第２液体収容室とを区画形成し、前記第２壁部には、前記隔壁を挿入可能な前記隙間が形成されており、前記液体連通部の少なくとも一部は、前記架橋部のうち前記第２壁部よりも前記第１壁部に近い位置に設けられていても良い。
上記形態によれば、液体連通部の少なくとも一部は、第２壁部よりも第１壁部に近い位置に設けられている。これにより、第２液体収容室のうち第２壁部よりも第１壁部に近い部分に収容された液体を第１液体収容室に流通させることができる。
（１２）上記形態の液体供給ユニットであって、前記液体連通部の少なくとも一部はチューブによって構成されていても良い。
上記形態によれば、液体連通部の少なくとも一部がチューブで構成されていることによって、液体連通部の設計の自由度が向上できる。
（１３）上記形態の液体供給ユニットであって、前記第１外壁部と前記第２外壁部とに交差し、前記液体供給部が形成された第１壁部と、前記第１液体収容室の内部と前記第２液体収容室の内部とを挟んで前記前記第１壁部と対向する第２壁部と、を備え、前記第１壁部と前記第２壁部とは、前記第１液体収容室と前記第２液体収容室とを区画形成し、前記液体連通部の少なくとも一部は、前記第２壁部に形成されていても良い。
この形態によれば、第２壁部を利用して液体連通部の少なくとも一部を形成できる。
（１４）上記形態の液体供給ユニットであって、さらに、前記第１液体収容室と前記第２液体収容室と前記液体連通部とに亘って配置された第１液体保持部材を有しても良い。
上記形態によれば、第１液体保持部材によって第２液体収容室の液体を液体連通部を介して第１液体収容室に円滑に移動させることができる。
（１５）上記形態の液体供給ユニットであって、さらに、前記第１液体収容室のうち、前記液体供給部と前記第１液体保持部材との間に配置された第２液体保持部材を有しても良い。
上記形態によれば、第２液体保持部材に液体を保持させることができる。
（１６）上記形態の液体供給ユニットであって、さらに、前記液体供給ユニットの外部の大気と前記第１液体収容室とを連通可能な大気連通路と、前記第１液体収容室に配置された液体保持部材と、を有しても良い。
この形態によれば、第１液体収容室の液体の消費に伴って第２液体収容室の液体を液体連通部を介して第１液体収容室に円滑に導入することができる。
（１７）上記形態の液体供給ユニットであって、さらに、前記液体供給ユニットの外部の大気と前記第２液体収容室とを連通可能な大気連通路と、前記第２液体収容室の圧力に応じて、前記大気連通路と前記第２液体収容室とを連通状態と非連通状態とのいずれかの状態とする弁機構と、を有しても良い。
この形態によれば、弁機構によって大気連通路と第２液体収容室との連通状態を切り替えることができる。
（１８）上記形態の液体供給ユニットであって、さらに、前記第２液体収容室に前記液体を注入可能な液体注入孔と、前記液体注入孔を塞ぐための栓部材であって、前記液体注入孔に着脱可能な栓部材と、を有しても良い。
この形態によれば、液体注入孔によって第２液体収容室に容易に液体を注入できる。
（１９）本発明の他の一形態によれば、第１液体導入部を有する第１装着部と、第２液体導入部を有する第２装着部と、前記第１装着部と前記第２装着部とを隔て、スリットを有する隔壁と、を備える液体噴射装置に、装着可能な液体供給ユニットが提供される。この液体供給ユニットは、前記第１装着部に装着可能な第１液体収容室であって、前記第１液体導入部に液体を供給可能な第１液体供給部を有する第１液体収容室と、前記第２装着部に装着可能な第２液体収容室であって、前記第２液体導入部に液体を供給可能な第２液体供給部を有する第２液体収容室と、前記第１液体収容室を区画形成する第１外壁部と前記第２液体収容室を区画形成する第２外壁部とを連結し、前記隔壁の前記スリットに挿入可能な架橋部と、を備え、前記第１外壁部と前記第２外壁部との間には、前記隔壁を挿入可能な隙間が形成されている。
この形態によれば、第１外壁部と第２外壁部とを連結し、隔壁のスリットに挿入可能な架橋部を有する。これにより、隙間を有する液体供給ユニットの強度を向上できる。また、第２液体収容室に収容された液体を直接に第２液体導入部に供給できる。
（２０）上記形態の液体供給ユニットであって、さらに、前記第１液体収容室と前記第２液体収容室とを連通させる液体連通部を有しても良い。
この形態によれば、第１液体収容室と第２液体収容室とが液体連通部によって連通しているため、第１液体収容室と第２液体収容室との間で液体が流通できる。